(57)【要約】【課題】印刷された製品名、サイズや前後方向等などのパンツ型吸収性物品に関連する識別情報が外側から透けて見えにくく、より下着に近い外観を有するパンツ型吸収性物品を提供する。【解決手段】パンツ型吸収性物品は、伸縮性フィルムと第１の不織シートとが積層された伸縮シート部を少なくとも一部に含む外装体と、上記外装体に固着される吸収性部材と、を備えるパンツ型吸収性物品であって、上記パンツ型吸収性物品には、肌当接面側と、上記肌当接面と対向する非肌当接面側と、が定義され、上記パンツ型吸収性物品は、上記肌当接面側にパンツ型吸収性物品に関連する識別情報が印刷された表示部を備えることを特徴とする。【選択図】図１
2016202803.tif 000002
【特許請求の範囲】
【請求項１】
伸縮性フィルムと第１の不織シートとが積層された伸縮シート部を少なくとも一部に含む外装体と、前記外装体に固着される吸収性部材と、を備えるパンツ型吸収性物品であって、
前記パンツ型吸収性物品には、肌当接面側と、前記肌当接面と対向する非肌当接面側と、が定義され、
前記パンツ型吸収性物品は、前記肌当接面側にパンツ型吸収性物品に関連する識別情報が印刷された表示部を備えることを特徴とするパンツ型吸収性物品。
【請求項２】
請求項１記載のパンツ型吸収性物品であって、
前記パンツ型吸収性物品には、着用者の腹側に位置付けられる腹側領域と、前記腹側領域に対向する背側領域とが定義され、
前記表示部は、前記背側領域であって、前記パンツ型吸収性物品の短手方向中央に印刷されたものであることを特徴とするパンツ型吸収性物品。
【請求項３】
請求項１記載のパンツ型吸収性物品であって、
前記表示部は、前記外装体の前記伸縮シート部に前記識別情報が印刷されたものであることを特徴とするパンツ型吸収性物品。
【請求項４】
請求項１記載のパンツ型吸収性物品であって、
前記表示部は、前記外装体の前記伸縮性フィルムに前記識別情報が印刷されたものであることを特徴とするパンツ型吸収性物品。
【請求項５】
請求項１記載のパンツ型吸収性物品であって、
前記伸縮シート部は、未伸縮状態における不透明度が７０以上１００以下であることを特徴とするパンツ型吸収性物品。
【請求項６】
請求項１記載のパンツ型吸収性物品であって、
前記伸縮シート部は、未伸縮状態における不透明度が７５以上１００以下であることを特徴とするパンツ型吸収性物品。
【発明の詳細な説明】
【技術分野】
【０００１】
本発明は、パンツ型吸収性物品に関する。
【背景技術】
【０００２】
紙おむつなどのパンツ型吸収性物品には、着用者の体型、性別や症状に応じて、様々な種類のものが存在している。また、パンツ型吸収性物品は、その前後の形態が似ていることから、前後方向等が間違えて着用されることがあった。
【０００３】
このため、パンツ型吸収性物品には、製品名、サイズや前後方向等の識別情報が、その外表面に印刷され、適切に着用できるようにされている。例えば、特許文献１には、積み重ねられた状態でもサイズや前後方向等のパンツ型吸収性物品に関連する識別情報を認識できるように、複数のおむつを積み重ねた場合に、各おむつの側方位置から識別情報を確認可能となるように、外装体の股部領域に識別情報を表示する技術が開示されている。
【先行技術文献】
【特許文献】
【０００４】
【特許文献１】特開２００５−０７４１５７号公報
【発明の概要】
【発明が解決しようとする課題】
【０００５】
しかしながら、パンツ型吸収性物品には白色などの薄い色味の外装体を用いることが多いため、このような印刷は、着用者の目に付きやすく、着用者に紙おむつを着用しているという意識を生じさせる一因となっている。
【０００６】
従って、本発明はこのような課題に鑑みてなされたものであり、印刷された製品名、サイズや前後方向等などの識別情報が外側から透けて見えにくく、より下着に近い外観を有するパンツ型吸収性物品を提供することにある。
【課題を解決するための手段】
【０００７】
（１）  本発明の一実施形態に係るパンツ型吸収性物品は、伸縮性フィルムと第１の不織シートとが積層された伸縮シート部を少なくとも一部に含む外装体と、上記外装体に固着される吸収性部材と、を備えるパンツ型吸収性物品であって、上記パンツ型吸収性物品には、肌当接面側と、上記肌当接面と対向する非肌当接面側と、が定義され、上記パンツ型吸収性物品は、上記肌当接面側にパンツ型吸収性物品に関連する識別情報が印刷された表示部を備えることを特徴とする。
（２）  本発明の他実施形態に係るパンツ型吸収性物品は、上記（１）記載のパンツ型吸収性物品であって、上記パンツ型吸収性物品には、着用者の腹側に位置付けられる腹側領域と、上記腹側領域に対向する背側領域とが定義され、上記表示部は、上記背側領域であって、上記パンツ型吸収性物品の短手方向中央に印刷されたものであることを特徴とする。
（３）  本発明の他実施形態に係るパンツ型吸収性物品は、上記（１）記載のパンツ型吸収性物品であって、上記表示部は、上記外装体の上記伸縮シート部に上記識別情報が印刷されたものであることを特徴とする。
（４）  本発明の他実施形態に係るパンツ型吸収性物品は、上記（１）記載のパンツ型吸収性物品であって、上記表示部は、上記外装体の上記伸縮性フィルムに上記識別情報が印刷されたものであることを特徴とする。
（５）  本発明の他実施形態に係るパンツ型吸収性物品は、上記（１）記載のパンツ型吸収性物品であって、上記伸縮シート部は、未伸縮状態における不透明度が７０以上１００以下であることを特徴とする。
（６）  本発明の他実施形態に係るパンツ型吸収性物品は、上記（１）記載のパンツ型吸収性物品であって、上記伸縮シート部は、未伸縮状態における不透明度が７５以上１００以下であることを特徴とする。
【発明の効果】
【０００８】
本発明の一実施形態に係るパンツ型吸収性物品は、印刷された製品名、サイズや前後方向等などのパンツ型吸収性物品に関連する識別情報が外側から透けて見えにくく、より下着に近い外観を呈し、着用者に不快感を与えにくくすることができる。
【図面の簡単な説明】
【０００９】
【図１】本発明の一実施形態にかかるパンツ型吸収性物品の正面図である。
【図２】図１のパンツ型吸収性物品の背面図である。
【図３】図１のパンツ型吸収性物品の展開状態における展開平面図である。
【図４】本発明の一実施形態にかかるパンツ型吸収性物品の外装体に用いられる伸縮シート部の一部を切り出し、便宜的に各層を離間して図示した伸縮シート部の構造説明図である。
【図５】（ａ）は本発明の一実施形態に係るパンツ型吸収性物品の製造方法の一例を説明するための製造ラインの部分概略図であり、（ｂ）は（ａ）の第３工程を説明する説明図である。
【発明を実施するための形態】
【００１０】
図１から図３を参照して、本発明の実施形態に係るパンツ型吸収性物品１を説明する。なお、本実施形態の説明は、特に説明がない限り、全体を通して同じ要素には同じ番号を付している。なお、本明細書の説明において、パンツ型吸収性物品１の長手方向は、パンツ型吸収性物品１が着用されたときに着用者の前後にわたる方向であり、パンツ型吸収性物品１の短手方向は、長手方向に対して横切り又は直交する方向を意味する。また、本明細書の説明において、体液とは、尿、血液や軟便中の水分などの体内から体外に排出された液体をいう。本実施形態のパンツ型吸収性物品１は、使い捨ておむつ、小児用トレーニングパンツ、失禁用物品、女性の生理用物品などとして用いることができる。また、本明細書の説明において、不織シートとは、繊維を織らずに絡み合わせた不織ウェブをシート状としたものを意味する。
【００１１】
図１は、本発明の実施形態に係るパンツ型吸収性物品１を示す正面図、図２は、図１のパンツ型吸収性物品１の背面図、図３は、図１のパンツ型吸収性物品１を展開した状態の展開平面図を示している。なお、便宜上、図３においては、サイドシール部１５０の図示を省略し、かつ、図１および図２における脚開口部周りの弾性部材１６４を伸縮シートから糸ゴムに変更したものを示す。
【００１２】
図１から図３に示すように、パンツ型吸収性物品１は、腹側外装体１０２と背側外装体１０４とを含む外装体１００と、外装体１００の肌当接面側の表面に固着された吸収性部材２００とを備える。パンツ型吸収性物品１は、腹側領域３１と背側領域３２とそれらを繋ぐ股部領域３３とを備え、腹側領域３１と背側領域３２に位置する部分を重ね合わせて、腹側領域３１の腹側外装体１０２および背側領域３２の背側外装体１０４を対向配置し、それらの側端部を相互に固着して、サイドシール部１５０を形成することで、ウエスト開口部ＷＨおよび脚開口部ＬＨとが定義されたものである。なお、サイドシール部１５０は、溶着や接着などの公知の方法によって形成することができ、着用者からパンツ型吸収性物品１を除去しやすいように、破断可能に形成されていてもよい。
【００１３】
パンツ型吸収性物品１には、着用者の肌に当接する面である肌当接面Ｓｉと肌当接面Ｓｉに対向する非肌当接面Ｓｏとが定義される。パンツ型吸収性物品１は、パンツ型吸収性物品１に関連する識別情報が印刷された表示部３００を、肌当接面Ｓｉの側に備える。パンツ型吸収性物品１に関連する識別情報には、パンツ型吸収性物品１の製品名、サイズや前後方向などのパンツ型吸収性物品１の種類や着用方向を識別できる１または複数の情報が含まれ、この識別情報は、表示部３００に文字や図柄などによって表示される。これによれば、印刷された製品名、サイズや前後方向等などのパンツ型吸収性物品１に関連する識別情報が外側から透けて見えにくく、より下着に近い外観を呈し、着用者に不快感を与えにくくすることができる。
【００１４】
この表示部３００は、背側領域３２であって、パンツ型吸収性物品１の短手方向中央において、パンツ型吸収性物品１に印刷されていることが好ましい。パンツ型吸収性物品１は、背側領域３２のほうが、腹側領域３１よりも面積が大きく形成されているため、パンツ型吸収性物品１の折り畳みを解いて、広げた自然状態において、肌当接面Ｓｉの側の表示部３００を視認しやすくすることができるからである。
【００１５】
また、パンツ型吸収性物品１には、ウエスト開口部ＷＨに沿って、一または複数条の弾性部材１６１，１６２が設けられていてもよい。そして、脚開口部ＬＨに沿って、一または複数条の弾性部材１６３，１６４が設けられていてもよい。この場合、弾性部材１６１，１６２，１６３，１６４は、弾性部材１６１，１６２，１６３，１６４を伸張した状態で外装体１００に固着することで、外装体１００を含むパンツ型吸収性物品１を着用者のウエスト及び脚周りに対して伸縮して保持するように構成される。弾性部材１６１，１６２,１６３，１６４は、糸状、ストリップ状、ウエストベルト状などの細長形状を有し、例えば、糸ゴム、不織シートに糸ゴムが固着されたウエストベルト、弾性フィルム、弾性発泡材、エラストマー布などを材料として用いることができる。図１から図３に示すように、表示部３００は、これらのウエスト開口部ＷＨおよび脚開口部ＬＨの周りに沿って設けられた弾性部材１６１，１６２，１６３，１６４形成領域に重複しないように、弾性部材１６１，１６２，１６３，１６４形成領域を避けて設けられてもよい。これによれば、表示部３００に、弾性部材１６１，１６２，１６３，１６４による変形や隠れが生じにくく、表示部３００をより視認しやすくすることができるからである。
【００１６】
さらにまた、パンツ型吸収性物品１には、腹側領域３１から股部領域３３を経て背側領域３２に渡って、図示しない左右一対のレッグギャザーを設けることもできる。レッグギャザーは、例えば、糸ゴムなどの弾性部材と不織シート等のシートによって形成される。
【００１７】
次に、外装体１００について説明する。外装体１００は、腹側外装体１０２と背側外装体１０４とを含み、腹側外装体１０２の側端部と背側外装体１０４の側端部とは、相互に固着されてサイドシール部１５０をなす。なお、本実施形態では、外装体１００全体を伸縮シート部１２０で構成したものを用いて説明する。
【００１８】
図４は、図１のパンツ型吸収性物品１の外装体１００に用いられる伸縮シート部１２０の一部を切り出し、便宜的に各層を離間して図示した伸縮シート部１２０の構造説明図である。外装体１００は、少なくとも伸縮性フィルム１２６と表面材料である第１の不織シート１２２とを積層して、伸縮可能とした伸縮シート部１２０を少なくとも一部に備える。なかでも、図４に示すように、伸縮シート部１２０は、第１の不織シート１２２と第２の不織シート１２４との間に、伸縮性フィルム１２６が挟まれて一体化された第１の不織シート１２２／伸縮性フィルム１２６／第２の不織シート１２４の積層構造を有するものであることが好ましい。このような、伸縮シート部１２０を外装体１００の少なくとも一部に備えることで、パンツ型吸収性物品１は、布製下着のように略全体的に収縮するという快適な着用感を供することができる。また、図示されるように、外装体１００の伸縮シート部１２０が、ウエスト開口部ＷＨおよび脚開口部ＬＨの少なくとも一部を定義するように設けられると、更に良好なフィット感を有するパンツ型吸収性物品１を得ることができる。
【００１９】
伸縮シート部１２０の第１の不織シート１２２と伸縮性フィルム１２６とは、熱や超音波による溶着などにより一体化され、ホットメルトタイプ等の接着剤を使用せずに固着されていることが好ましい。糸ゴムを使用せず、接着剤の使用量を低減することで、ごわごわとした感じを抑え、より布製下着に近い風合いをパンツ型吸収性物品１に与えることができるからである。
【００２０】
伸縮シート部１２０を構成する第１の不織シート１２２および第２の不織シート１２４の基材としては、例えば、スパンボンドやメルトブロー不織シート、あるいは、スパンボンド／メルトブロー、スパンボンド／メルトブロー／スパンボンドを積層した複合不織シート及びこれらの複合材料が例示される。また、伸縮性フィルム１２６は、表面材料である第１の不織シート１２２よりも大きい伸縮性を備えたものであればよい。例えば、伸縮性フィルム１２６は、不織シート１２２よりも伸縮性が大きい樹脂製の伸縮性フィルムであり、ポリエステル系エラストマー、ポリオレフィン系エラストマー、ポリウレタン系樹脂、ポリアミド系樹脂等から形成されたフィルムなどが例示される。なかでも、コスト及び伸縮性能の観点から、ポリウレタン系樹脂フィルムが好ましい。
【００２１】
伸縮シート部１２０は、非伸縮状態において、２０ｃｍ３／ｃｍ２・秒以上のＪＩＳ  Ｌ  １０９６−Ａ（フラジール法）：１９９０に基づいて測定される通気度を有してもよい。通気度が２０ｃｍ３／ｃｍ２・秒未満であると、着用時に蒸れ易くなる。通気度は、伸縮シート部１２０を構成する第１の不織シート１２２および第２の不織シート１２４の繊維や糸の太さ、織り密度、単位面積当たりの重さや、伸縮シート部１２０に設けられた開口部の開口面積率等により、自由に変えることができる。
【００２２】
また、伸縮シート部１２０は、伸縮方向に１５０％伸長したときに、５０ｃｍ３／ｃｍ２・秒以上のＪＩＳ  Ｌ  １０９６−Ａ（フラジール法）：１９９０に基づいて測定される通気度を有してもよい。ここで、伸縮方向に１５０％伸長したとは、非伸縮状態の伸縮シート部１２０の自然長Ｌ１に対する、特定の方向（伸縮方向）に伸縮シート部１２０を伸長して伸長状態としたときの長さＬ２の比率を示すものであって、伸長率＝Ｌ２／Ｌ１×１００［％］で計算されたものである。すなわち、例えば、非伸縮状態の自然長１０ｃｍの伸縮シート部１２を伸長方向に伸長させて１５ｃｍとした場合、伸縮方向に１５０％（＝１５／１０×１００）伸長したものとなる。通気度が５０ｃｍ３／ｃｍ２・秒未満であると、伸長された状態で使用する部位、例えば、おしり周りの部位に対して、着用時に蒸れ易くなる。
【００２３】
伸縮シート部１２０は、パンツ型吸収性物品１の長手方向および短手方向の二軸方向の両方において伸縮特性を有するものであることが好ましい。そして、伸縮シート部１２０は、パンツ型吸収性物品１の短手方向の伸縮性は、パンツ型吸収性物品１の長手方向の伸縮性よりも大きいことが好ましい。そして、着用者が着脱しやすいという観点から、第１の伸縮シート部は、短手方向に２００％以上２７０％以下の伸び率を有するものであることがさらに好ましい。
【００２４】
伸縮性フィルム１２６には複数の開口部が形成されていてもよい。これらの複数の開口部は、パンツ型吸収性物品１の外装体１００における通気性を向上し、かつ、伸縮性フィルム１２６の開口部による耐久性の低下を緩和するために、正面視において千鳥状に配置されていてもよい。また、これらの複数の開口部の形状は特に限定されず、例えば、長方形、楕円形、ひし形等であってもよい。
【００２５】
そして、パンツ型吸収性物品１の表示部３００は、外装体１００の伸縮シート部１２０にパンツ型吸収性物品１に関連する識別情報が印刷されたものであってもよい。これによれば、着用時には伸縮シート上の識別情報が伸ばされて、より目立ち難くなるという効果が得られる。この場合、パンツ型吸収性物品１の表示部３００は、外装体１００の伸縮性フィルム１２６にパンツ型吸収性物品１に関連する識別情報が印刷されたものであってもよい。これによれば、印刷インキ等が肌に触れないという安心感を与えるという効果が得られる。
【００２６】
そして、表示部３００が伸縮シート部１２０に設けられている場合、または、図１に示すようなパンツ型吸収性物品１の正面視において、表示部３００が伸縮シート部１２０と重複する場合には、伸縮シート部１２０は、未伸縮状態における不透明度が７０％以上１００％以下であることが好ましい。より好ましくは、伸縮シート部１２０は、未伸縮状態における不透明度が７５％以上１００％以下であることが好ましい。伸縮シート部１２０の不透明度は、同一の伸縮シート部１２０において、単一シート視感反射率Ｒ０の固有視感反射率Ｒ∞に対する比率を百分率で表した値であり、伸縮シート部１２０の不透明度［％］＝（単一シート視感反射率Ｒ０）×１００／（固有視感反射率Ｒ∞）で算定されるものである。この伸縮シート部１２０の不透明度は、ＩＳＯ２４７１に対応したＪＩＳ  Ｐ８１４９に準拠して、村上色彩株式会社製の色差計ＣＭＳ−３５ＳＰＸを用いて測定を行った値を使用して算定した。なお、未伸縮状態とは、伸縮シート部１２０を伸縮せずに室温下に置いた状態をいう。このように不透明度を高くすることによって、表示部３００がパンツ型吸収性物品１の外側から視認しづらくすることができる。
【００２７】
パンツ型吸収性物品１は、肌当接面側からの体液を吸収するために配置される吸収性部材２００を備える。吸収性部材２００は、肌当接面側に配置された液透過性のトップシートと、トップシートに対向して配置された非肌当接面側の液不透過性のバックシートと、トップシートとバックシートとの間に配置された吸収体２２０とを少なくとも備える。このようにして、吸収体２２０は、トップシートとバックシートとの間に挟まれた構造となっている。なお、図３において、吸収体２２０は破線部にて示されている。なお、図示はしないが、吸収性部材２００には、裏面不織シートがバックシートの非肌当接面側に積層されていてもよいし、補助シートなどの他の部材がさらに含まれてもよい。
【００２８】
吸収性部材２００を構成する各部材は、外装体１００と異なり、吸収性能を重視するため、後述する伸縮シート部１２０を含まないか、少なくとも伸縮シート部１２０よりも伸縮性が低いものであってもよい。すなわち、吸収性部材２００を構成するトップシート、バックシート及び吸収体２２０の少なくとも一つは、実質的に非伸縮性か、または、伸縮シート部１２０よりも伸縮性が低いものであってもよい。
【００２９】
トップシートの基材は、体液が吸収体２２０へと移動するように液透過性を備えていればよく、例えば、サーマルボンド不織シート等の不織シート、サーマルボンド／スパンボンドを積層した複合不織シート、開口ポリエチレンフィルム等の開口性フィルム、ポリエチレンフォーム、ウレタンフォーム等の発泡フィルム、あるいは、これらを積層した複合シートといった材料から形成される。また、トップシートは、液透過性を向上させるために、表面にエンボス加工や穿孔加工を施してもよい。その加工方法は、公知の方法を制限なく行うことができる。また、肌への刺激を低減させるために、トップシートには、ローション、酸化防止剤、抗炎症成分、ｐＨ調整剤、抗菌剤、保湿剤等を含有させてもよい。さらに、強度および加工性の点から、トップシートの坪量は、１４ｇ／ｍ２以上４０ｇ／ｍ２以下であることが好ましい。トップシートの形状としては、特に制限はないが、トップシートとバックシートとは、吸収体２２０よりも面積が大きいものであってもよく、吸収性部材２００の長手方向端部の少なくとも一部において、吸収体２２０が設けられていないことにより吸収性部材２００の厚みが薄くなった部分を有してもよい。
【００３０】
なお、トップシートの肌当接面側には、吸収体２２０の長手方向の両側縁部に沿って、体液の漏れを防止する立体ギャザーを設けてもよい。吸収体２２０の短手方向における立体ギャザーの外端部は、バックシートに固定され、同短手方向における立体ギャザーの内端部は、長手方向前後部がトップシートに固着され、前後部間の中央部はトップシートに固定されない自由端となっており、吸収体２２０の長手方向に沿って糸ゴム等の立体ギャザー用弾性部材と不織シート等のシートによって形成されることで、起立性を有し、使用者の体型に合わせて伸縮自在に変形可能となるように設けられる。
【００３１】
バックシートの基材は、吸収体２２０が保持する体液が漏れないように液不透過性を備えたものであればよく、不織シート、樹脂フィルム、あるいはこれらを積層した複合シートといった材料から形成される。不織シートは、製法が特に限定されることはなく、例えば、スパンボンドやメルトブロー不織シート、あるいは、スパンボンド／メルトブロー、スパンボンド／メルトブロー／スパンボンドを積層した複合不織シート、及びこれらの複合材料が考えられる。また、樹脂フィルムとしては、例えば、ポリエステル、ポリビニルアルコール、ポリエチレン、ポリプロピレン、ポリエチレンとポリプロピレンの複合フィルム等を用いることができる。また、装着時の蒸れを防止するために、バックシートは、透湿性を備えさせてもよい。例えば、バックシートの基材にフィラーを配合することや、バックシートに穿孔のためのエンボス加工を施すことで、バックシートに透湿性を備えさせることができる。
【００３２】
裏面不織シートの基材には、例えば、スパンボンドやメルトブロー不織シート、あるいは、スパンボンド／メルトブロー、スパンボンド／メルトブロー／スパンボンドを積層した複合不織シート、及びこれらの複合材料を用いることができる。
【００３３】
吸収体２２０の基材は、一般に生理用ナプキン、おむつや尿パッド等の吸収性物品に使用されるものであれば特に制限はなく、パルプ繊維等の液体吸収性繊維を所定形状に成形したものを含み、液体吸収性繊維に高吸水性樹脂（ＳＡＰ）を含有させたものであってもよい。例えば、吸収体２２０は、フラッフパルプ、親水性シートおよび高吸収性樹脂を備える。この例の場合、高吸水性樹脂が混入または囲繞された液体吸収性繊維を成形して成形体をなし、高吸水性樹脂粒子の漏洩防止や吸収性部材の形状を安定させるために、この成形体をティシュのような親水性シート（図示せず）によって被覆することで形成される。フラッフパルプとしては、例えば、木材パルプ及び合成繊維、ポリマー繊維等の非木材パルプを綿状に解繊したものがある。また、高吸水性樹脂は、吸液により膨潤等して高い液体の保持性能を有した高分子重合体を備える粒状の樹脂体であり、例えば、ポリアクリル酸ナトリウム系が挙げられる。親水性シートとしては、ティシュ、吸収紙、親水性不織シートが例として挙げられる。
【００３４】
吸収体２２０は、上記の吸収体２２０の基材を単層あるいは複数層に積層して構成される。さらに、吸収体２２０の表面にエンボス加工を施すことで、体液の拡散をコントロールすると共に、着用者の体型に応じて吸収体２２０を容易に変形可能とすることもできる。
【００３５】
図３に示すように、吸収性部材２００は、少なくとも吸収性部材２００の長手方向両端部において、外装体１００の肌当接面側の表面に固着された固着部２４２，２４４を備える。つまり、吸収性部材２００の長手方向端部の非肌当接面側の表面が腹側外装体１０２の肌当接面側の表面に固着されて、吸収性部材２００に固着部２４２が形成され、吸収性部材２００の他方の長手方向端部の非肌当接面側の表面を背側外装体１０４の肌当接面側の表面に固着することで、吸収性部材２００に固着部２４４が形成される。この固着部２４２，２４４は、例えば、ホットメルト接着剤等による接着、熱や超音波等を用いた溶着などの公知の方法によって形成することができる。固着部２４２，２４４は、その全体が外装体１００に固着されていてもよいし、外装体１００と吸収性部材２００との接合部を点状または線状に離間して設けることによって部分的に固着されてもよい。
【００３６】
そして、図３に示すように、パンツ型吸収性物品１の短手方向において、外装体１００の下端部１０９ａ，１０９ｂに重なる部分の吸収性部材２００の長さは、外観上、外装体１００の下端部１０９ａ，１０９ｂの長さと略等しくなるように設けられる。これらにより、吸収性部材２００は、非肌当接面側の表面に、外装体１００に固着された固着部２４２，２４４と、外装体１００から露出した露出部２４６と、を備える。このように、吸収性部材２００に外装体１００からの露出した領域を設けることで、露出領域におけるパンツ型吸収性物品１の厚さを低減することができ、着用者へのフィット性を向上し、パンツ型吸収性物品１を着用していることを外観上より目立たなくすることができる。
【００３７】
次に、図５（ａ）〜（ｂ）を用いて、本実施形態のパンツ型吸収性物品１の製造方法の一例を説明する。ここでは、パンツ型吸収性物品１の伸縮シート部１２０となる連続体を長手方向に搬送しながら、伸縮シート部１２０を製造する製造方法を説明する。なお、便宜上、図５（ａ）〜（ｂ）、伸縮シート部１２０などのパンツ型吸収性物品１の各部材の符号を各部材の連続体の符号として用いている。
【００３８】
まず、図５（ａ）に示すように、第１工程として、伸縮性フィルム１２６となる連続体を回転ローラ５１から給送し、伸縮性フィルム１２６となる連続体に所定の張力をかけて上下に伸張して、伸長状態とする。所定の張力とは、伸縮性フィルム１２６を２００％以上、より好ましくは２５０±３０％伸張した状態をいう。続いて、第２工程では、回転ローラ５２ａから供給された第１の不織シート１２２となる連続体及び回転ローラ５２ｂから供給された第２の不織シート１２４となる連続体を、伸張した状態の伸縮性フィルム１２６となる連続体に積層する。
【００３９】
次に、第３工程では、積層された伸縮性フィルム１２６と第１の不織シート１２２と第２の不織シート１２４となる連続体を伸縮方向と直行する縦方向に実質的に連続したシール線を、伸縮方向に対して０．５ｍｍ以上２．０ｍｍ以下の間隔で全領域にわたって熱や超音波などによる溶着によって形成し、伸縮性フィルム１２６と第１の不織シート１２２と第２の不織シート１２４となる連続体を固着することで、伸縮シート部１２０となる連続体を形成する。
【００４０】
具体的には、図５（ｂ）に示すように、積層された伸縮性フィルム１２６と第１の不織シート１２２と第２の不織シート１２４とを接合ロール５３と他方の接合ロール５４で狭圧し、接合ロール５３の先端の端部５５と、他方の接合ロール５４の側面５６との接点を熱または超音波などで溶着することによって、シール線を形成する。このように、シール線を所定の間隔に形成し、第１の不織シート１２２と伸縮性フィルム１２６と第２の不織シート１２４となる連続体を一体化することによって、伸縮シート部１２０となる連続体の表面のシワが緩和され、伸縮シート部１２０の肌触りを滑らかにすることができる。
【００４１】
その後、図５（ａ）の第４工程に示すように、伸縮シート部１２０となる連続体は、インクジェット式印刷装置５７に給送され、インクジェット式プリントヘッド５９および印刷ドラム５８とを用いて、伸縮シート部１２０となる連続体のうち、背側外装体１０４となる領域であって、着用者の肌当接面側となる表面に、ＣＭＹＫカラーインクやブラックインクなどを用いてインクジェット式で識別情報となる文字や図柄を印刷し、表示部３００を形成する。
【００４２】
続いて、図示は省略するが、伸縮シート部１２０となる連続体を更に搬送方向に給送し、カッターなどの切断装置を用いて、伸縮シート部１２０を外装体１００の形状に切断することにより、腹側外装体１０２および表示部３００を備える背側外装体１０４となる部分を形成する。続いて、トップシート、バックシートおよび吸収体２２０を少なくとも備える吸収性部材２００と、腹側外装体１０２および背側外装体１０４となる部分とを、ホットメルト接着剤などによって接合することで固着部２４２，２４４を形成する。そして、吸収性部材２００が位置する部分で折って、腹側外装体１０２および背側外装体１０４となる部分を対向して配置する。そして、溶着などによって腹側領域３１の腹側外装体１０２の側端部と背側領域３２の背側外装体１０４の側端部とを相互に固着することで、サイドシール部１５０を形成し、ウエスト開口部ＷＨおよび脚開口部ＬＨとが定義されたパンツ型吸収性物品１を得る。
【００４３】
本実施形態では、外装体１００が、腹側外装体１０２と背側外装体１０４とに分離されたものを用いて説明をしたが、図示しない股部領域３３に設けられた股部外装体を介して、腹側外装体１０２と背側外装体１０４とが一体的に形成されたものであってもよい。この場合、吸収性部材２００は、股部外装体の表面に固着されてもよい。
【００４４】
また、本実施形態では、腹側外装体１０２と背側外装体１０４とを含む外装体１００の全体が伸縮シート部１２０からなるものを用いて説明したが、腹側外装体１０２と背側外装体１０４との少なくとも一部であって、上記重複領域が伸縮シート部１２０を備えるものであればよく、腹側外装体１０２と背側外装体１０４とは、その一部が非伸縮状態となっているものであってもよい。例えば、腹側外装体１０２と背側外装体１０４とにおいて、伸縮シート部１２０は、パンツ型吸収性物品１の短手方向中央部を除いて、パンツ型吸収性物品１の短手方向側部のみに配設されていてもよい。
【００４５】
また、本実施形態では、吸収性部材２００が、吸収性部材２００の長手方向両端部のみにおいて、外装体１００の肌当接面側の表面に固着された固着部２４２，２４４を備えるものを説明したが、吸収性部材２００の長手方向端部以外の領域、または、吸収性部材２００の非肌当接面側の全表面において、外装体１００の肌当接面側の表面に固着されていてもよい。
【００４６】
さらに、外装体１００として、伸縮シート部１２０のみを含むものを説明したが、外装体１００は補助シートなどの他の部材を含むものであってもよい。例えば、吸収性部材２００の長手方向両端部が着用者の肌に当たるのを防ぐために、少なくとも吸収性部材２００の長手方向端部を介して、伸縮シート部１２０に対向する部分に補助シートが配設されていてもよい。
【００４７】
以上、実施形態を用いて本発明を説明したが、本発明の技術的範囲は上記実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることが、特許請求の範囲の記載から明らかである。
【符号の説明】
【００４８】
１                                パンツ型吸収性物品
３１                              腹側領域
３２                              背側領域
３３                              股部領域
１００                            外装体
１０２                            腹側外装体
１０４                            背側外装体
１２０                            伸縮シート部
１２２                            第１の不織シート
１２４                            第２の不織シート
１２６                            伸縮性フィルム
１５０                            サイドシール部
１６１，１６２，１６３，１６４    弾性部材
２００                            吸収性部材
２２０                            吸収体
２４２，２４４                    固着部
３００                            表示部
ＷＨ                              ウエスト開口部
ＬＨ                              脚開口部
Ｓｉ                              肌当接面
Ｓｏ                              非肌当接面
【図１】
2016202803.tif 000003
【図２】
2016202803.tif 000004
【図３】
2016202803.tif 000005
【図４】
2016202803.tif 000006
【図５】
2016202803.tif 000007